(57)【要約】【課題】フラップの内面で室内ユニット本体から吹き出される風を案内する場合にも、フラップの外面に露付きが発生することの少ないフラップを備える空気調和装置を提供する。【解決手段】熱交換器３０及び送風機２０を収容した室内ユニット１０と、室内ユニット１０の吹出口３７に設けられるフラップ６０と、を備えた空気調和装置において、フラップ６０は、空調後の空気を被調和室に案内する第１の案内部材７０と、空調後の空気を被調和室に案内するとともに第１の案内部材７０の外面７０Ａに案内する第２の案内部材８０と、を備え、第２の案内部材８０は、第１の案内部材７０の外面７０Ａ方向に第１の案内部材７０と間隔Ｓ１をあけて設けた。【選択図】図６
2017062087.tif 000002
【特許請求の範囲】
【請求項１】
熱交換器及び送風機を収容した室内ユニットと、前記室内ユニットの吹出口に設けられるフラップと、を備えた空気調和装置において、
前記フラップは、空調後の空気を被調和室に案内する第１の案内部材と、空調後の空気を被調和室に案内するとともに前記第１の案内部材の外面に案内する第２の案内部材と、を備え、
前記第２の案内部材は、前記第１の案内部材の外面方向に前記第１の案内部材と間隔をあけて設けられていることを特徴とする空気調和装置。
【請求項２】
前記第２の案内部材の長辺方向の長さは、前記第１の案内部材の長辺方向の長さと略等しい長さを備え、
前記第１の案内部材と前記第２の案内部材とは、前記第１の案内部材の長辺方向の左右端と前記第２の案内部材の長辺方向の左右端とが略一致するようを重ねて設けられていることを特徴とする請求項１に記載の空気調和装置。
【請求項３】
前記第１の案内部材は、基部と、前記基部から屈曲する案内部とを備えることを特徴とする請求項１または請求項２に記載の空気調和装置。
【請求項４】
前記第２の案内部材は、前記基部と重ねて設けられ、
前記第２の案内部材の短辺方向の長さは、前記基部の短辺方向の長さと略等しい長さを備えることを特徴とする請求項３に記載の空気調和装置。
【請求項５】
前記第２の案内部材と前記基部とは、略並行に設けられ、
前記案内部が屈曲する角度は、前記基部から前記第１の案内部材の内面方向に略３０度であることを特徴とする請求項４に記載の空気調和装置。
【発明の詳細な説明】
【技術分野】
【０００１】
本発明は、空気調和装置に関するものであり、特に、室内ユニットの風吹き出し口に設けられるフラップに関するものである。
【背景技術】
【０００２】
従来、空気調和装置の室内ユニットには、風の吹き出し口に吹き出された風を案内するフラップが設けられている。
この種のフラップでは、室内ユニット本体から吹き出される風を受けて案内するフラップの内面と、その逆側の外面とを備えて構成されている（例えば、特許文献１参照）。
【先行技術文献】
【特許文献】
【０００３】
【特許文献１】特開２００１−１９４０００号公報
【発明の概要】
【発明が解決しようとする課題】
【０００４】
しかしながら、フラップの内面で室内ユニット本体から吹き出される風を案内する場合、フラップの外面に露付きが発生するという問題がある。
本発明は、上述した事情に鑑みてなされたものであり、フラップの内面で室内ユニット本体から吹き出される風を案内する場合にも、フラップの外面に露付きが発生することの少ないフラップを備える空気調和装置を提供することを目的とする。
【課題を解決するための手段】
【０００５】
上記目的を達成するために、本発明は、熱交換器及び送風機を収容した室内ユニットと、前記室内ユニットの吹出口に設けられるフラップと、を備えた空気調和装置において、前記フラップは、空調後の空気を被調和室に案内する第１の案内部材と、空調後の空気を被調和室に案内するとともに前記第１の案内部材の外面に案内する第２の案内部材と、を備え、前記第２の案内部材は、前記第１の案内部材の外面方向に前記第１の案内部材と間隔をあけて設けられていることを特徴とする。
【０００６】
また、本発明は、前記第２の案内部材の長辺方向の長さは、前記第１の案内部材の長辺方向の長さと略等しい長さを備え、第１の案内部材と第２の案内部材とは、第１の案内部材の長辺方向の左右端と第２の案内部材の長辺方向の左右端とが略一致するようを重ねて設けられていることを特徴とする。
【０００７】
また、本発明は、前記第１の案内部材は、基部と、前記基部から屈曲する案内部とを備えることを特徴とする。
【０００８】
また、本発明は、前記第２の案内部材は、前記基部と重ねて設けられ、前記第２の案内部材の短辺方向の長さは、前記基部の短辺方向の長さと略等しい長さを備えることを特徴とする。
【０００９】
また、本発明は、前記第２の案内部材と前記基部とは、略並行に設けられ、前記案内部が屈曲する角度は、前記基部から前記第１の案内部材の内面方向に略３０度であることを特徴とする。
【発明の効果】
【００１０】
本発明によれば、空調後の空気が第２の案内部材から第１の案内部材の外面に案内され、この第２の案内部材により案内された空調後の空気が第１の案内部材の外面に沿って流れるため、フラップの内面と外面との温度差が少なくなり、フラップの内面で室内ユニット本体から吹き出される風を案内する場合にも、フラップの外面に露付きが発生することの少ないフラップを備える空気調和装置を提供できる。
【図面の簡単な説明】
【００１１】
【図１】本発明の実施形態に係る空気調和装置の室内ユニットの側部断面図である。
【図２】室内ユニットの斜視図である。
【図３】室内ユニットの化粧パネルを被調和室側から見た平面図である。
【図４】フラップを開いた状態の化粧パネルの斜視図である。
【図５】フラップの斜視図である。
【図６】図３のＡ−Ａ断面図であり、（Ａ）はフラップを閉じた状態における図、（Ｂ）はフラップを３０度開いた状態における図、（Ｃ）はフラップを６０度開いた状態における図である。
【発明を実施するための形態】
【００１２】
以下、本発明の一実施の形態を、図面を参照して説明する。
図１は、本発明の実施の形態に係る空気調和装置の室内ユニット１０の側部断面図である。図２は、室内ユニット１０の斜視図である。図３は、室内ユニット１０の化粧パネル３３を被調和室側から見た平面図である。図４は、フラップ６０を開いた状態の化粧パネル３３の斜視図である。
なお、以下の説明において、上下、内外とは、化粧パネル３３を空気調和機本体１４に取り付けた状態においての室内ユニット１０を基準として説明している。また、空調後の空気が吹出される空間を被調和室としている。
【００１３】
室内ユニット１０は、建屋の天井１１とこの天井１１の下方に設置された天井板１２との間の天井空間１３に設置される。この室内ユニット１０は、空気調和機本体１４と、空気調和機本体１４の下側開口を覆う化粧パネル３３とを備えている。
空気調和機本体１４の外側角部には、吊り用金具１８が取り付けられている。空気調和機本体１４は、吊り用金具１８に連結された吊りボルト１５で天井１１から吊り下げられた状態で設置される。この空気調和機本体１４の内側には、発泡スチロール製の断熱部材１６が、空気調和機本体１４の側板１７の内面に接した状態で配置され、側板１７における結露を防止している。
【００１４】
空気調和機本体１４の上板の下面には、ファンモータ２１が取り付けられており、このファンモータ２１には、ファンモータ２１の駆動により回転駆動される回転シャフト２２が下方に延在するように設けられている。この回転シャフト２２の下端部分には、遠心ファン２３が取り付けられており、このファンモータ２１と遠心ファン２３とで送風機２０を構成している。
【００１５】
遠心ファン２３は、環状の板状に形成された主板２４を備えている。主板２４の中心部分には、下方に延出する逆円錐台形状のモータ収容部２５が形成されている。
モータ収容部２５には、ファンモータ２１が収容されており、ファンモータ２１の回転シャフト２２は、下方に延在しモータ収容部２５の底面に連結されている。そして、ファンモータ２１を回転駆動させることにより、回転シャフト２２を介して遠心ファン２３を回転動作させるように構成されている。
【００１６】
主板２４の下方には、シュラウド２６が設けられており、シュラウド２６は、周面が弧状に形成された環状に形成されている。主板２４とシュラウド２６の内周面との間には、周方向に所定間隔をもって配置される複数の翼２７が一体に形成されている。
シュラウド２６の下方には、オリフィス２８が配置されており、オリフィス２８は、周面が弧状に形成された環状に形成されている。
【００１７】
送風機２０と断熱部材１６との間には、送風機２０の側方を取り囲むように、平面視でほぼ四角形状に曲折形成された熱交換器３０が配置されている。
熱交換器３０は、冷房運転時には、冷媒の蒸発器として機能し、暖房運転時、冷媒の凝縮器として機能する熱交換器３０である。熱交換器３０は、空気調和機本体１４の内部に吸い込まれる室内の空気と冷媒との熱交換を行って、冷房運転時には、空調室内の空気を冷却し、暖房運転時には、室内の空気を加熱することができるように構成されている。
【００１８】
熱交換器３０の下側には、熱交換器３０の下面に対応するようにドレンパン３１が配置されている。このドレンパン３１は、熱交換器３０で発生するドレン水を受けるためのものである。ドレンパン３１の中央部分には、送風機２０の吸い込み口３２が形成されている。
【００１９】
空気調和機本体１４の下面には、図１および図２に示すように、空気調和機本体１４の下側開口を覆うように、ほぼ四角形状の化粧パネル３３が取り付けられている。
化粧パネル３３のパネル本体４０の中央部分には、ドレンパン３１の吸い込み口３２に連通するパネル本体４０の吸い込み口３４が形成されている。パネル本体４０の吸い込み口３４部分には、パネル本体４０の吸い込み口３４を覆う吸い込みグリル３５が着脱可能に取り付けられている。吸い込みグリル３５の空気調和機本体１４側には、空気中の塵などを除去するためのフィルタ３６が設けられている。
【００２０】
パネル本体４０の吸い込み口３４の外側であってパネル本体４０の各辺に沿った位置には、空調後の空気を被調和室に送る吹出口３７がそれぞれ形成されている。この吹出口３７は、略矩形に形成されている。吹出口３７には、図６に示すように、外端部３７Ａおよび内端部３７Ｂが形成されている。外端部３７Ａは吹出口３７の上方から下方に向かいながら外側に湾曲するよう形成されている。内端部３７Ｂは、吹出口３７の外側に向かいながら下方に湾曲するよう形成されている。
【００２１】
吹出口３７の左右両端には、コーナーパネル４２がそれぞれ設けられている。また、この四方向への吹出口３７には、図２から図４に示すように、吹出方向を変更するフラップ６０がそれぞれ設けられている。
被調和室内の空気は、送風機２０によって吸い込み口３４から吸い込まれ、フィルタ３６を通過した後に熱交換器３０を通過して熱交換され、吹出口３７から空調後の空気が被調和室へと送られる。
【００２２】
図５は、フラップ６０の斜視図である。また、図６は、図３のＡ−Ａ断面図であり、（Ａ）はフラップ６０を閉じた状態における図、（Ｂ）はフラップ６０を３０度開いた状態における図、（Ｃ）はフラップ６０を６０度開いた状態における図である。なお、ここでいうフラップ６０を開いた状態の角度とは、回動軸６１の中心を基準とした水平面と第１の案内部材７０の案内部７５の内面とのなす角度をいう。
【００２３】
フラップ６０は、図３に示すように、略矩形に構成されている。フラップ６０は、第１の案内部材７０と、第２の案内部材８０と、第１の案内部材７０と第２の案内部材８０とを所定の間隔Ｓ１をあけて連結する接続部材９０とで構成されている。
第１の案内部材７０は、空調後に空気調和機本体１４から吹出される空気を案内する内面７０Ｂと、内面７０Ｂの逆の面である外面７０Ａとを有している。内面７０Ｂおよび外面７０Ａは、平坦面とされている。内面７０Ｂに断熱材は設けられていない。
第２の案内部材８０は、空調後に空気調和機本体１４から吹出される空気を案内する内面８０Ｂと、内面８０Ｂの逆の面である外面４３Ｂとを有している。内面８０Ｂおよび外面４３Ｂは、平坦面とされている。
【００２４】
第１の案内部材７０は、基部７１と、屈曲部７３と、基部７１から屈曲部７３を介して形成される案内部７５とで形成されている。案内部７５は、図６（Ｃ）に示すように、屈曲部７３により基部７１から内面７０Ｂ方向に略３０度屈曲して形成されている。
【００２５】
屈曲部７３の内面７０Ｂには、凸部７４が設けられている。この凸部７４には、両端から突出する回動軸６１が形成されている。
案内部７５の短辺方向の長さは、基部７１の短辺方向の長さの略３倍程度に形成されている。
回動軸６１の一方は、コーナーパネル４２の裏側に設けられる不図示の軸受材の軸受部により軸支されている。また、回動軸６１の他方は、コーナーパネル４２の裏側に設けられる不図示の駆動用モータに連結されている。
【００２６】
図３に示すように、第１の案内部材７０の内面７０Ｂであり、第１の案内部材７０の長辺方向の中央部には、中央支持部材７７が設けられている。この中央支持部材７７は、吹出口３７の長辺方向の中央部から延出して設けられた軸支部材３９により軸支されることで、フラップ６０の中央部分を回転自在に支持している。また、中央支持部材７７は、軸支部材３９により軸支されることで、第１の案内部材７０のたわみを防止している。なお、この中央支持部材７７および軸支部材３９は、必ずしも吹出口３７の長辺方向の中央部に１箇所設ける必要はなく、複数であってもよいし、なくともよい。
この中央支持部材７７および軸支部材３９の数は、フラップ６０の長辺の長さやフラップ６０の材質に応じて適宜に変更可能である。
【００２７】
基部７１の後端には、外面７０Ａから直交する方向に延出する接続部材９０が一体に設けられている。この接続部材９０は、第１の案内部材７０と第２の案内部材８０とを連結する部材であり、第１の案内部材７０の外面７０Ａおよび第２の案内部材８０の内面８０Ｂと一体形成されている。接続部材９０は、基部７１の長辺方向に所定の間隔で複数形成されており、本実施の形態では８箇所形成されている。接続部材９０は、第１の案内部材７０と第２の案内部材８０との間に所定の間隔Ｓ１を設けるとともに、第２の案内部材８０のたわみを防止している。
この接続部材９０の数は、第２の案内部材８０の長辺の長さや第２の案内部材８０の材質に応じて適宜に変更可能である。
なお、第２の案内部材８０は、必ずしも接続部材９０により第１の案内部材７０と一体形成せずとも、別に軸支するなどして別部材として構成してもよい。
【００２８】
基部７１と第２の案内部材８０との間には、所定の間隔Ｓ１が設けられている。この所定の間隔Ｓ１は、図６に示すように、空気調和機本体１４から吹出される空調後の空気を、第２の案内部材８０の内面８０Ｂにあてることで第１の案内部材７０の外面７０Ａに導くものである。この間隔Ｓ１は、空調後の空気を第１の案内部材７０の外面７０Ａに導くことで、第１の案内部材７０の外面７０Ａに露付きが発生することを防止、軽減できる程度に空調後の空気を送り込める間隔であればよい。
【００２９】
第２の案内部材８０の長辺方向の長さは、第１の案内部材７０の長辺方向の長さと略等しく構成されている。また、第１の案内部材７０の長辺方向の左右端と第２の案内部材８０の長辺方向の左右端とは、図５に示すように、略一致するよう重ねて設けられている。
【００３０】
第２の案内部材８０の短辺方向の長さは、第１の案内部材７０の短辺方向の長さよりも短く構成されている。第２の案内部材８０の短辺方向の長さは、基部７１の短辺方向の長さと同程度に構成されている。
この第２の案内部材８０の短辺方向の長さは、空気調和機本体１４から吹出される空気を整流することのできる長さで構成されている。第２の案内部材８０の短辺方向の長さは、空気調和機本体１４から吹出される空気を整流することのできる長さであれば、適宜に変更が可能である。
例えば、第２の案内部材８０の短辺方向の長さは基部７１の短辺方向の長さをこえて案内部７５の方向に長く形成してもよい。
【００３１】
第２の案内部材８０は、短辺方向を基準として、基部７１と一部が重なるよう、基部７１の近傍に設けられている。
基部７１の近傍とは、第１の案内部材７０の外面７０Ａに空調後の空気流すことで外面７０Ａの露付きを防止できる程度の空気を第２の案内部材８０が案内できる位置であればよい。
【００３２】
図６（Ａ）に示すように、フラップ６０は、フラップ６０を閉じた状態において、第１の案内部材７０の後端の位置と第２の案内部材８０の前端の位置が、前後方向で略等しくなるように構成されている。第２の案内部材８０の後端の位置は、第１の案内部材７０の後端の位置よりも後ろに位置している。
また、フラップ６０を閉じた場合の第２の案内部材８０の後端と吹出口３７の内端１０１との間には、所定のスペースＳ２が設けられている。このスペースＳ２を設けることで、フラップ６０に第２の案内部材８０を備えても、フラップ６０の開閉に支障をきたすことがない。
図６（Ｂ）に示すように、フラップ６０は、フラップ６０を３０度開いた状態において、第１の案内部材７０の後端の位置と第２の案内部材８０の後端の位置が、高さ方向で略等しい高さになるように構成されている。第２の案内部材８０の後端の高さ方向の位置は、第２の案内部材８０の内面８０Ｂが、吹出される空気を間隔Ｓ１を通して第１の案内部材７０の外面７０Ａに案内できる範囲で上下に適宜変更が可能である。なお、フラップ６０を３０度開いた状態は、冷房運転時に多用される。
図６（Ｃ）に示すように、フラップ６０は、フラップ６０を６０度開いた状態において、第２の案内部材８０の後端の位置が、第１の案内部材７０の後端の位置よりも高さ方向で上側に位置するように構成されている。
このように、フラップ６０を閉じた場合、３０度開いた場合、６０度開いた場合のそれぞれの状態において、第２の案内部材８０の内面８０Ｂが、空調後の空気を、間隔Ｓ１を通して第１の案内部材７０の外面７０Ａに案内し易い構成とされている。
【００３３】
また、第２の案内部材８０と基部７１とは、略並行となるよう構成されている。そして、案内部７５は、基部７１から略３０度内側に屈曲して形成されている。そのため、第２の案内部材８０と案内部７５も、略３０度の角度差を備えている。すなわち、図６（Ｃ）に示すように、フラップ６０が６０度開いた状態において、第２の案内部材８０は水平面と略垂直に位置するよう構成されている。
フラップ６０を６０度開いた状態は、暖房運転時に多用される。暖房運転時にフラップ６０を６０度開いた場合には、第２の案内部材８０により間隔Ｓ１を通過して案内される空調後の暖かい空気を、吹出口３７の下方向に案内できる。
なお、間隔Ｓ１から吹出す空調後の暖かい空気を、吹出口３７の真下ではなく、適宜に角度を設けて案内したい場合には、第２の案内部材８０を基部７１と略並行ではなく、適宜角度をつけて構成してもよい。また、第２の案内部材８０と基部７１を略並行に保ちつつ、案内部７５の屈曲する角度を適宜に変更することも可能である。
【００３４】
次に、本実施形態の作用について説明する。
送風機２０によって、被調和室の空気が吸い込み口３４から吸い込まれ、フィルタ３６を通過した後に熱交換器３０を通過して熱交換され、吹出口３７から空調後の空気が被調和室に送られる。
このとき、図６（Ａ）に示すように、フラップ６０を閉じた状態では、主として間隔Ｓ１から空気が吹出される。フラップ６０を閉じた状態で空気を吹出す場合として、例えば、運転停止中に送風機２０を回転させることで空気調和機本体１４の内部を乾燥させる内部クリーン運転があげられる。
このようなフラップ６０を閉じた状態では、吹出される空気が第２の案内部材８０の内面８０Ｂに案内され、間隔Ｓ１を通して被調和室に送風される。案内部７５が屈曲部７３により基部７１から略３０度内側に屈曲して形成され、第２の案内部材８０が第１の案内部材７０の基部近傍に設けられているので、間隔Ｓ１を通過した空気は、第２の案内部材８０の内面８０Ｂに案内され、正面方向の矢印Ａ方向に吹出されるとともに、第１の案内部材７０の外面７０Ａ付近に沿う方向の矢印Ｂ方向にも吹出される。
【００３５】
図６（Ｂ）に示すように、フラップ６０を３０度開いた状態において、空調後の空気は、第１の案内部材７０の内面７０Ｂに案内されて、正面の矢印Ｃ方向に吹出される。また、空調後の間隔Ｓ１を通過した空気は、第２の案内部材８０の内面８０Ｂに案内され、正面方向の矢印Ｅ方向に吹出されるとともに、第１の案内部材７０の外面７０Ａ付近に沿う方向の矢印Ｄ方向にも吹出される。
【００３６】
図６（Ｃ）に示すように、フラップ６０を６０度開いた状態において、空調後の空気は、第１の案内部材７０の内面７０Ｂに案内されて、正面の矢印Ｆ方向に吹出される。また、空調後の間隔Ｓ１を通過した空気は、第２の案内部材８０の内面８０Ｂに案内され、正面方向の矢印Ｈ方向に吹出されるとともに、第１の案内部材７０の外面７０Ａ付近に沿う方向の矢印Ｇ方向にも吹出される。
【００３７】
以上説明したように、本実施の形態によれば、フラップ６０は、空調後の空気を被調和室に案内する第１の案内部材７０と、空調後の空気を被調和室に案内するとともに第１の案内部材７０の外面７０Ａに案内する第２の案内部材８０と、第１の案内部材７０と第２の案内部材８０とを連結する接続部材９０と、を備え、第２の案内部材８０は、第１の案内部材７０の外面７０Ａ方向に第１の案内部材７０と間隔Ｓ１をあけて設けた。
この構成によれば、空調後の空気を間隔Ｓ１を通して第２の案内部材８０から第１の案内部材７０の外面７０Ａに案内できる。
そのため、フラップ６０の内面７０Ｂと外面７０Ａとの温度差が少なくなり、フラップ６０の内面７０Ｂで室内ユニット本体から吹き出される風を案内する場合にも、外面７０Ａに露付きが発生することの少ないフラップを備える空気調和装置を提供できる。
また、この構成による場合、外面７０Ａに露付きを防止するための凹凸を設ける必要がないため、フラップ６０の製造を容易にできる。
また、この構成による場合、内面７０Ｂに断熱材を設ける必要が少なくなり、部品点数を省略でき、製造コストを軽減できる。
また、この構成による場合、フラップ６０を閉じた状態でも、吹出される空気を第２の案内部材８０の内面８０Ｂで案内し、間隔Ｓ１を通して被調和室に送風できる。
【００３８】
また、本実施の形態によれば、第２の案内部材８０の長辺方向の長さは、第１の案内部材７０の長辺方向の長さと略等しい長さを備え、第１の案内部材７０の長辺方向の左右端と第２の案内部材８０の長辺方向の左右端とが、略一致するよう重ねて設けた。
この構成によれば、長辺方向において第１の案内部材７０と第２の案内部材８０とが長辺方向の左右方向に略一致した状態で上下方向に重なって配置されているので、第２の案内部材８０の内面８０Ｂが案内する空調後の空気を効率よく第１の案内部材７０の外面７０Ａに導くことができる。
【００３９】
また、本実施の形態によれば、第１の案内部材７０は、基部７１と、基部７１から屈曲する案内部７５とを備えた。
この構成によれば、第１の案内部材７０を屈曲して構成することができ、第２の案内部材８０により案内された空調後の空気を第１の案内部材７０の外面７０Ａに沿って流すことができる。そのため、空調後の空気をより効率よく第１の案内部材７０の外面７０Ａに案内でき、第１の案内部材７０の外面７０Ａの露付きを防止できる。
【００４０】
また、本実施の形態によれば、第２の案内部材８０は、基部７１と重ねて設け、第２の案内部材８０の短辺方向の長さは、基部７１の短辺方向の長さと略等しい長さに構成した。
この構成によれば、空調後の空気を第１の案内部材７０の外面７０Ａに沿って流しつつ、第２の案内部材８０を小型化できる。製造コストを削減できる。
【００４１】
また、本実施の形態によれば、第２の案内部材８０と基部７１とは、略並行に設け、案内部７５が屈曲する角度は、基部７１から第１の案内部材７０の内面方向に略３０度に構成した。
この構成によれば、フラップ６０が６０度開いた状態のとき、基部７１が水平面と略垂直に位置し、この基部７１と略並行に構成される第２の案内部材８０も水平面と略垂直に位置している。
そのため、暖房運転時に多用されるフラップ６０を６０度開いた状態では、第１の案内部材７０により被調和室に案内される空調後の空気とは別に、第２の案内部材８０により間隔Ｓ１を通過して案内される空調後の暖かい空気を、吹出口３７の略下方向に案内できる。
【００４２】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００４３】
例えば、本実施の形態では、化粧パネル３３に、空調後の空気を室内へ送る吹出口３７が４つの辺に沿ってそれぞれ形成されているが、必ずしも吹出口３７が４方向に設けられる天井埋込型の室内ユニット１０に限定されるものではない。
例えば、吹出口が３方向に設けられる天井埋込型の室内ユニット、吹出口が２方向に設けられる天井埋込型の室内ユニット、吹出口が１方向に設けられる天井埋込型の室内ユニットなど、吹出口にフラップが備えられているその他の室内ユニットにも適用が可能である。
【符号の説明】
【００４４】
１０  室内ユニット
１４  空気調和機本体
２０  送風機
３０  熱交換器
３３  化粧パネル
３７  吹出口
３９  軸支部材
４０  パネル本体
４２  コーナーパネル
６０  フラップ
６１  回動軸
７０  第１の案内部材
７０Ａ  外面
７０Ｂ  内面
７１  基部
７３  屈曲部
７４  凸部
７５  案内部
７７  中央支持部材
８０  第２の案内部材
８０Ａ  外面
８０Ｂ  内面
９０  接続部材
Ｓ１  間隔
Ｓ２  スペース
【図１】
2017062087.tif 000003
【図２】
2017062087.tif 000004
【図３】
2017062087.tif 000005
【図４】
2017062087.tif 000006
【図５】
2017062087.tif 000007
【図６】
2017062087.tif 000008